【事件の表示】
　特願２０００−１４５２５６「ネットワーク上のデバイスの使用を管理するシステム」拒絶査定不服審判事件〔平成１３年１１月２２日出願公開、特開２００１−３２５１７０〕について、次のとおり審決する。
【結　論】
　本件審判の請求は、成り立たない。
【理　由】
１．手続の経緯
　本願は、平成１２年５月１７日の出願であって、平成１８年４月４日付けで拒絶査定がなされ、これに対し、平成１８年５月１０日に拒絶査定不服審判が請求されるとともに、同日付けで手続補正がなされたものである。その後、当審において、平成２１年４月１３日付けで拒絶の理由が通知され、これに対して、平成２１年６月１５日付けで意見書及び手続補正書が提出されたものである。
　
２．本願発明
　本願の請求項１に係る発明（以下、「本願発明」という。）は、平成２１年６月１５日付け手続補正書の特許請求の範囲の請求項１に記載された事項により特定される、以下のとおりのものである。
　「ネットワークに複数のクライアントと複数のデバイスとが接続されたシステムにおいて、該ネットワーク上で前記クライアントによる前記デバイスの使用を管理する管理システムであって、
　前記クライアントごとに、各デバイスに対する使用許諾を設定する使用許諾設定手段と、
　使用許諾が与えられたデバイスを表す画像を、前記クライアントに該デバイスに対応したドライバがインストールされているか否かに関わらずクライアントの画面上に表示させるデバイス表示手段であって、
　　前記設定された使用許諾に応じて、前記クライアントごとに、前記使用許諾が与えられたデバイスを表す画像の表示データを生成する表示データ生成手段と、
　　前記生成した表示データを前記クライアントごとに送信する送信手段とを備えるデバイス表示手段
　とを備える管理システム。」　
　
３．刊行物
　
刊行物１．特開平１１−９６１１８号公報
刊行物２．特開平１１−１３４１３５号公報
刊行物３．特開平１１−１９５０３０号公報
刊行物４．特開平１０−２４７２０２号公報
刊行物５．特開２０００−１３２４７７号公報
刊行物６．特開平１１−２０３０８７号公報
　
３−１．刊行物１の記載
　刊行物１には、図面と共に、以下の事項が記載されている。
　
（ア）第００５１段落及び第００５２段落
【００５１】図６は、本発明の第２実施形態を示すネットワーク装置を適用可能な画像処理システムの構成を説明するブロック図である。
【００５２】図において、１０１，１０２は画像処理装置として機能する印刷装置で、ネットワークＮＥＴを介してクライアント装置１０４，サーバ装置１０３とが通信可能に構成されている。
　
（イ）第００５７段落
【００５７】図９は、図６に示したクライアント装置１０４上の表示装置に表示されるページ設定画面の一例を説明する図である。
　
（ウ）第００５９段落
【００５９】上記のように構成された所定の通信媒体（ネットワークＮＥＴ）を介してサーバ装置１０３と所定の画像処理を行う複数の印刷装置１０１，１０２と複数のデータ処理装置（クライアント装置１０４を含む図示しない他のクライアント装置）とが通信可能なネットワーク装置であって、所定のユーザ認証情報を入力する入力手段（図示しないが図１に示したサーバ装置１０３と同様の入力装置を備える）と、前記入力手段から入力された前記所定のユーザ情報を前記サーバ装置に転送して認証依頼する第１の転送手段（図示しないが図１に示したサーバ装置１０３と同様のネットワーク装置を備える）と、前記第１の転送手段により照合依頼された前記所定のユーザ情報の認証結果を前記サーバ装置１０３から取得して判定する判定手段（図示しないが図１に示したサーバ装置１０３と同様の中央処理装置を備える）と、前記判定手段の判定結果に基づいて前記所定の画像処理装置の使用可否を決定する制御手段（図示しないが図１に示したサーバ装置１０３と同様の中央処理装置を備える）とを前記データ処理装置に備えるので、ユーザが任意のデータ処理装置から画像処理を要求しても、ユーザ情報の認証処理をサーバ装置側で一元管理して処理できるため、印刷装置側のメモリ資源を節約できるとともに、印刷装置の増減にも柔軟に対応するネットワークシステムを構築することができる。
　
（エ）第００６４段落
【００６４】次に、サーバ装置１０３では図８に示すようなフィールドをもつデータベースを保持しており、照合されたユーザＩＤを持つユーザがどの印刷装置を使用する権利があるかどうかを調査する。ここで、使用する権利がある印刷装置があると判断された場合にはユーザの認証の成功と使用する権利がある印刷装置（本実施形態では印刷装置１０１と印刷装置１０２）をクライアント装置１０４に通知する。
　
（オ）第００６６段落及び第００６７段落
　次に、データの印刷指示をする際に印刷の設定を行うための領域（ページ設定画面（図９参照））を表示装置３３に表示する（６）。そして、ユーザがステップ（６）で表示された表示装置３３上の設定画面に対して印刷の設定を行う（７）。なお、印刷の設定を行う画面上には、データの印刷を行う印刷装置を選択するためのリスト（ステップ（２）でデータベースを照合した際に通知されたユーザが使用する権利を有する印刷装置）も表示される。
　ここで、すなわち、図９に示したページ設定画面上で、ＯＫボタンを押すことによって、印刷するデータが選択された印刷装置（本実施形態では印刷装置（図６の印刷装置１０１））に送信され（８）、処理を終了する。なお、この時、印刷データとともにユーザの認証情報も送信する。
　
（カ）図８では、データベースに、ユーザＩＤごとに使用できる印刷装置が登録されていることが見てとれる。
　
　以上の刊行物１の記載によれば、刊行物１には、次の発明（以下、「刊行物１記載発明」という。）が記載されていると認められる。
　
　　「画像処理装置として機能する印刷装置１０１，１０２が、ネットワークＮＥＴを介してクライアント装置１０４，サーバ装置１０３と通信可能に構成されている画像処理システムであって、
　上記のように構成された所定の通信媒体（ネットワークＮＥＴ）を介してサーバ装置１０３と所定の画像処理を行う複数の印刷装置１０１，１０２と複数のデータ処理装置（クライアント装置１０４を含む図示しない他のクライアント装置）とが通信可能であり、
　前記サーバ装置１０３ではデータベースを保持しており、該データベースには、ユーザＩＤごとに使用できる印刷装置が登録されており、照合されたユーザＩＤを持つユーザがどの印刷装置を使用する権利があるかどうかを調査し、ここで、使用する権利がある印刷装置があると判断された場合にはユーザの認証の成功と使用する権利がある印刷装置１０１と印刷装置１０２をクライアント装置１０４に通知し、
　データの印刷指示をする際に印刷の設定を行うための領域（クライアント装置１０４上の表示装置に表示されるページ設定画面（図９参照））を表示装置３３に表示し（６）、
　ユーザがステップ（６）で表示された表示装置３３上の設定画面に対して印刷の設定を行い（７）、
　印刷の設定を行う画面上には、データの印刷を行う印刷装置を選択するためのリスト（データベースを照合した際に通知されたユーザが使用する権利を有する印刷装置）も表示される
　画像処理システム。」　
　
３−２．刊行物２の記載
　刊行物２には、図面と共に、以下の事項が記載されている。
　
（キ）第００１９段落から第００２１段落
【００１９】図３は、上記クライアントコンピュータの印字処理時の処理手順を示すフローチャートである。クライアントコンピュータ３のＣＰＵ１１は、印字するファイル、及び、印字を行うプリンタの選択を受け付けた後（ｓ１，ｓ２）、選択されたプリンタのプリンタドライバがＯＳ１２内にインストールされているか否かを判別する（ｓ３）。選択されたプリンタのプリンタドライバがＯＳ１２内にインストールされている場合には、ＣＰＵ１１は、ＯＳ１２内のプリンタドライバを用いてプリンタを制御し、選択されたファイルの内容を印字処理する（ｓ１２）。
【００２０】選択されたプリンタのプリンタドライバがＯＳ１２内にインストールされていない場合には、ＣＰＵ１１は、選択されたプリンタの機種、及び、自己のＯＳ１２の種類に基づいて使用するプリンタドライバを決定し（ｓ４）、決定したプリンタドライバをネットワーク１内において検索する（ｓ５）。ＣＰＵ１１は、決定したプリンタドライバをネットワーク１内において発見できなかった場合には、必要なプリンタドライバがない旨のエラーメッセージを表示して処理を終了する（ｓ６→ｓ７）。
【００２１】検索に係るプリンタドライバをネットワーク１内において発見した場合には、ＣＰＵ１１は、検索に係るプリンタドライバが存在するリソースに対してアクセス要求を送信し（ｓ６→ｓ８）、リソースからアクセスを拒否された場合には必要なプリンタドライバがない旨のエラーメッセージを表示して処理を終了する（ｓ９→ｓ７）。ＣＰＵ１１は、目的のリソースに対するアクセスが可能であれば、そのリソースから検索に係るプリンタドライバをダウンロードして自己のＯＳ１２内にインストールし（ｓ９→ｓ１０，１１）、そのプリンタドライバを用いてプリンタを制御することによりファイルの内容に基づく印字処理を実行する（ｓ１２）。
　
　以上のことから、刊行物２には、次の発明（以下、「刊行物２記載発明」という。）が記載されている。
　
「クライアントコンピュータ３のＣＰＵ１１は、印字するファイル、及び、印字を行うプリンタの選択を受け付けた後（ｓ１，ｓ２）、選択されたプリンタのプリンタドライバがＯＳ１２内にインストールされているか否かを判別し（ｓ３）、
　選択されたプリンタのプリンタドライバがＯＳ１２内にインストールされている場合には、ＣＰＵ１１は、ＯＳ１２内のプリンタドライバを用いてプリンタを制御し、選択されたファイルの内容を印字処理し（ｓ１２）、
　選択されたプリンタのプリンタドライバがＯＳ１２内にインストールされていない場合には、ＣＰＵ１１は、選択されたプリンタの機種、及び、自己のＯＳ１２の種類に基づいて使用するプリンタドライバを決定し（ｓ４）、決定したプリンタドライバをネットワーク１内において検索し（ｓ５）、
　検索に係るプリンタドライバをネットワーク１内において発見した場合には、ＣＰＵ１１は、検索に係るプリンタドライバが存在するリソースに対してアクセス要求を送信し（ｓ６→ｓ８）、
　ＣＰＵ１１は、目的のリソースに対するアクセスが可能であれば、そのリソースから検索に係るプリンタドライバをダウンロードして自己のＯＳ１２内にインストールし（ｓ９→ｓ１０，１１）、
　そのプリンタドライバを用いてプリンタを制御することによりファイルの内容に基づく印字処理を実行する（ｓ１２）
　印字処理時の処理手順。」　
　
３−３．刊行物３の記載
　
（ク）第００２１段落及び第００２２段落
【００２１】ＷＷＷサーバ２０は、ＷＷＷサーバソフト（プログラム）を実行することにより実現されるもので、ＨＴＭＬ（Hyper Text Markup language）によって記述されたハイパーテキスト情報（ＨＴＭＬ文書）の蓄積を始め、クライアントからの情報の送信要求に対する処理や、他のプログラムとのインタフェース、すなわちＣＧＩ（common gateway interface）２０ａの提供などのサービスを実行する。ＣＧＩ２０ａは、ＷＷＷブラウザからの要求に応じて、ＷＷＷサーバ１０上でプログラム（ＣＧＩプログラム）を実行し、その結果をブラウザに返す機能を持つ。
【００２２】ＤＢ検索処理部２２は、ＷＷＷサーバ２０（ＣＧＩ２０ａ）により実行されるもので、ＷＷＷサーバ２０からの要求に応じたデータベース３６に対するアクセス、データベース４０から得られたデータに対するＨＴＭＬ文書の生成等を行なう。ＤＢ検索処理部２２は、データベース３６にアクセスする際、データベース処理部３４に対してログオンする。
　
３−４．刊行物４の記載
　
（ケ）第０００２段落
それ以外にも、プラウザから入力した情報をサーバに通知し、入力内容に応じた処理結果をプラウザに返して表示させることも可能である。このようにサーバ側で呼び出される検索等の処理を行う外部プログラムをゲートウェイと呼び、起動されたゲートウェイはサーバからＣＧＩ（Common Gatewayinterface)というインタフェースを介してクライアントのプラウザからの入力内容を受け取り処理した結果のファイルをサーバ側に返す（以降、ゲートウェイの外部プログラムをＣＧＩアプリケーションプログラムとする）。処理を行うサーバ側ではゲートウェイから通知された処理結果ファイルをＨＴＭＬ文書としてクライアントに通知し、クライアント上のプラウザが画面上に表示するものである。
　
３−５．刊行物５の記載
　
（コ）第０１１２段落及び第０１１３段落
【０１１２】次に、デバイスリストについて説明する。図５はデバイスリストを示す画面図である。ユーザがこの画面を示すＵＲＬを指定することにより、ＣＧＩ経由でネットワークデバイス管理プログラムが起動され、デバイスリストモジュール４０７はデバイス探索モジュール４０８にネットワークデバイスの探索指示を出す。すると、デバイス探索モジュール４０８はネットワークに接続されているネットワークデバイスを探索する。
【０１１３】そして、その結果をもとに、テンプレートモジュール４１２を介して、探索で察知されたネットワークデバイスについてデバイスの種類（５０１）、デバイス名（５０２）、製品名（５０３）、ネットワークボード製品名（５０４）、ネットワークアドレス（５０５）、デバイスの状態（５０６）を表示するＨＴＭＬドキュメントが生成される。
　
３−６．刊行物６の記載
　
（サ）第００２１段落及び第００２２段落
【００２１】ここで、上記ＷＷＷについてその概要を説明すると、当該ＷＷＷは、本実施の形態におけるプリンタのような端末装置のネットワーク管理情報を、他のコンピュータ（ＷＷＷブラウザと呼ばれるプログラム（上記端末装置の設定状態等を端末装置毎に順次閲覧するためのプログラム）を備えるコンピュータであり、各端末装置の状態を閲覧して把握し、これによりネットワークを管理するコンピュータ。以下、ブラウザコンピュータと称する）で一元的に管理するための情報システムである。そして、各端末装置の状態を表現するためにはハイパーテキストと呼ばれるソフトウエアを用いて当該状態を示す画像や文字情報を表現する。また、ブラウザコンピュータと各端末装置との間の通信に使用されるプロトコルとしては、いわゆるＨＴＴＰが用いられ、更にハイパーテキストを表現する言語としては、例えば、ＨＴＭＬ（Hyper Text Markup Language）と呼ばれる言語が用いられる。
【００２２】また、本実施の形態においては、各端末装置上には、ＣＧＩ（Common GatewayInterface）と呼ばれるプログラムが備えられており、当該ＣＧＩはブラウザコンピュータからの指定により当該指定に対応するＨＴＭＬを構成したり、ブラウザコンピュータからサーバコンピュータ（ＮＩＣに備えられ、当該ＮＩＣに接続されているプリンタ等に対してデータ又は制御情報等を提供する処理部であり、ＮＩＣ用の上記ＣＧＩについてはこれがサーバコンピュータ内に含まれている。）に送信されてくる情報（一般にフォームという。例えば、ブラウザコンピュータの使用者がプリンタにおける複写枚数を「５」と設定した場合には、”ＣＯＰＩＥＳ＝５”というフォームがブラウザコンピュータからサーバコンピュータ内のＣＧＩに送信される。）を解釈するためのものである。
　
４．対比
　本願発明と刊行物１記載発明とを以下で対比する。
　
　刊行物１記載発明の「クライアント装置１０４」、「印刷装置１０１，１０２」及び「使用する権利」が、それぞれ、本願発明の「クライアント」、「複数のデバイス」及び「使用許諾」に相当する。刊行物１記載発明のクライアント装置は、「複数のデータ処理装置（クライアント装置１０４を含む図示しない他のクライアント装置）」とあるように、複数ある。
　
　刊行物１記載発明の画像処理システムでは、ネットワークＮＥＴに、本願発明のクアライアントに相当するクライント装置１０４と、本願発明のデバイスに相当する印刷装置１０１，１０２が接続されているから、刊行物１記載発明の画像処理システムは、本願発明の「ネットワークにクライアントとデバイスが接続されたシステム」に相当する。
　
　刊行物１記載発明の画像システム中のサーバ装置１０３のデータベースには、ユーザＩＤごとに使用できる印刷装置が登録されており、照合されたユーザＩＤを持つユーザがどの印刷装置を使用する権利があるかどうかを調査し、使用する権利がある印刷装置があると判断された場合にはユーザの認証の成功と使用する権利がある印刷装置１０１と印刷装置１０２をクライアント装置１０４に通知しているから、刊行物１記載発明の画像システムは本願発明の「該ネットワーク上でクライアントによるデバイスの使用を管理する管理システム」に相当する。
　
　刊行物１記載発明のデータベースには、ユーザＩＤごとに使用できる印刷装置が登録されているから、刊行物１記載発明と本願発明とは、「各デバイスに対する使用許諾が設定される」点において一致している。
　
　刊行物１記載発明の「表示装置３３」に表示される「データの印刷指示をする際に印刷の設定を行うための領域」は、「クライアント装置１０４上の表示装置に表示されるページ設定画面」であるから、該「表示装置３３」はクライアント装置１０４上の表示装置であることが読み取れ、該「表示装置３３」に該「ページ設定画面」が表示されると理解できる。
　そして、ユーザは該ページ設定画面に対して印刷の設定を行い、その印刷の設定を行う画面上には、「データの印刷を行う印刷装置を選択するためのリスト（データベースを照合した際に通知されたユーザが使用する権利を有する印刷装置）も表示され」る。
　してみると、刊行物１記載発明と本願発明とは、「使用許諾が与えられたデバイスを、クライアントの画面上に表示させるデバイス表示手段を備える」点において一致している。
　
　すると、本願発明と刊行物１記載発明との一致点及び相違点は、以下のとおりである。
　
〈一致点〉
　ネットワークに複数のクライアントと複数のデバイスとが接続されたシステムにおいて、該ネットワーク上で前記クライアントによる前記デバイスの使用を管理する管理システムであって、
　各デバイスに対する使用許諾を設定する使用許諾設定が設定され、
　使用許諾が与えられたデバイスを、クライアントの画面上に表示させるデバイス表示手段を備える管理システム。
　
〈相違点１〉
　本願発明は、デバイスに対する使用許諾が「クライアントごと」に設定されるのに対し、刊行物１記載発明は、ユーザごとに設定される点。
　
〈相違点２〉
　本願発明は、「使用許諾設定手段」を備えているのに対し、刊行物１記載発明は、使用許諾設定手段を備えているか否かが明らかではない点。
　
〈相違点３〉
　本願発明は、使用許諾が与えられたデバイスを表示するにあたり、「前記クライアントに該デバイスに対応したドライバがインストールされているか否かに関わらず表示させる」ものであるのに対し、刊行物１記載発明は、ドライバのインストール状況とデバイスの表示との関係が明らかではない点。
　
〈相違点４〉
　本願発明は、デバイスの表示を「クライアントごとに」「デバイスを表す画像」を「表示データ生成手段」によって生成し、生成した表示データを「送信手段」によって「クライアント毎に送信」する構成であるのに対し、刊行物１記載発明では、そのような構成を取っていない点。
　
５．判断
　
５−１．相違点１について
　本願発明が解決しようとする課題の１つとして「従来の管理システムは、各ユーザからプリンタへのアクセスの可否を十分に管理することができなかった」ことが挙げられており（第０００５段落参照）、本願発明の効果として「クライアントのユーザは、自己が利用可能なデバイスを適切に把握することができ」る点が説明されている（第００１１段落参照）ことに鑑みれば、本願発明において「クライアントごとに、各デバイスに対する使用許諾を設定する」ことは、クライアントのユーザごとにデバイスの使用許諾を設定することと同義であるといえる。
　してみれば、相違点１は実質的な相違点ではない。
　
５−２．相違点２について
　刊行物１記載発明では、使用許諾をデータベースにて管理している。
　データベースにデータを入力する手段は、当業者ならば当然に設けてしかるべきものであり、そのような入力手段が使用許諾設定手段として働くことは自明のことである。
　したがって、刊行物１記載発明において「使用許諾設定手段」を備えるようにすることは、当業者が容易になし得ることである。
　
５−３．相違点３について
　刊行物２記載発明では、印字を行うプリンタの選択を受け付けた後、選択されたプリンタのドライバがインストールされているか否かを判別し、必要に応じてドライバを入手しインストールすることが記載されている。
　すなわち、刊行物２には、印字に先立ってプリンタを選択する際には、ドライバがインストールされていないプリンタをも選択対象とできることが記載されている。
　刊行物１記載発明及び刊行物２記載発明は共に印字する機器を選択する点で共通しているので、刊行物１記載発明に刊行物２記載発明を適用して、使用許諾が与えられたデバイスを、クライアントにデバイスに対応したドライバがインストールされているか否かに関わらず選択できるよう構成することは、当業者が容易に想到し得ることであり、そのように構成する際、刊行物１記載発明の印刷の設定を行う画面上に表示される「データの印刷を行う印刷装置を選択するためのリスト」は、ドライバがインストールされているか否かに関わらず全てのプリンタを表示しなければならないことは自明のことである。
　
５−４．相違点４について
　クライアントがサーバの持つ情報にアクセスするための、特に、動的に変わる情報やクライアント毎の個別の要求に対する情報にアクセスするためのシステムとして、ＷＷＷ (World Wide Web) 技術におけるＣＧＩ (Common Gateway Interface) は、刊行物３から刊行物６に示されるように周知技術である。
　ＣＧＩは、ＷＷＷサーバから呼び出され、ＷＷＷサーバと協働してＨＴＭＬデータを作成し、ＷＷＷサーバはそのＨＴＭＬデータをクライアントに送信するものである。
　刊行物１記載発明では、クライアント装置からサーバ装置にアクセスし、ユーザの認証とそのユーザが使用する権利がある印刷装置のデータをサーバからクライアントに送信する形のシステムであるから、周知のＷＷＷ技術及びＣＧＩを適用することに、格別の困難性は存在しない。（例えば、刊行物３及び４には、ＷＷＷ技術及びＣＧＩを用いて、クライアントがサーバ側のデータベースへアクセスし、データベースから得られたデータをクライアントに返す例について記載があり（上記摘記事項（ク）及び（ケ）を参照）、刊行物５及び６には、ＷＷＷ技術及びＣＧＩを用いて、ネットワークに接続されているプリンタの管理を行う例が記載されている（上記摘記事項（コ）及び（サ）を参照））
　このとき、刊行物１記載発明のサーバ装置では、クライアント装置のユーザが使用する権利がある印刷装置のデータをＨＴＭＬデータとして作成し、クライアント装置に該ＨＴＭＬデータを送信することになるのは自明のことであり、該ＨＴＭＬデータは「使用許諾が与えられたデバイスを表す画像の表示データ」に他ならない。
　
６．むすび
　以上のとおり、本願発明は、刊行物１記載発明及び刊行物２記載発明並びに周知技術に基いて、当業者が容易に発明をすることができたものであるから、特許法第２９条２項の規定により特許を受けることができない。
　
　よって、結論のとおり審決する。